(57)【要約】【課題】移動経路を予測し、時間と場所に応じて配信効果の高い広告を配信する。【解決手段】広告データと位置情報とが関連付けられて記憶された広告データベースを備え、広告表示端末１０と通信可能に接続された広告配信サーバ２００は、前記広告表示端末１０の時間情報を含む位置情報の移動履歴を受信し、前記受信した位置情報から、時刻に沿って移動経路を推定し、前記推定した移動経路に基づいて、前記広告表示端末１０が所定の位置を通過する時間帯を推定し、前記所定の位置に関連付けられて記憶された前記広告データを、前記広告データベース２５０から抽出し、前記抽出した広告データを、前記推定した時間帯において前記広告表示端末１０へ配信する。【選択図】図１
2015114755.tif 000002
【特許請求の範囲】
【請求項１】
広告データと位置情報とが関連付けられて記憶された広告データベースを備え、広告表示端末と通信可能に接続された広告配信サーバであって、
前記広告表示端末の時間情報を含む位置情報の移動履歴を受信する位置情報履歴受信手段と、
前記受信した位置情報から、時刻に沿って移動経路を推定する移動経路推定手段と、
前記推定した移動経路に基づいて、前記広告表示端末が所定の位置を通過する時間帯を推定する通過時刻推定手段と、
前記所定の位置に関連付けられて記憶された前記広告データを、前記広告データベースから抽出する配信広告抽出手段と、
前記抽出した広告データを、前記推定した時間帯において前記広告表示端末へ配信する広告配信手段と、
を備えることを特徴とする広告配信サーバ。
【請求項２】
商品情報と、店舗の位置情報を少なくとも含む店舗情報とが関連付けて記憶された店舗位置データベースを備え、
前記広告データの配信先となる広告表示端末の、商品の閲覧、及び購入の少なくともいずれかの履歴を取得する購買履歴取得手段と、
前記店舗位置データベースから、前記取得した購買履歴に含まれる商品に基づいて、関連付けて記憶された店舗情報を抽出する店舗位置情報抽出手段と、
を備え、前記所定の位置として前記抽出した店舗情報に含まれる店舗の位置情報を利用する事を特徴とする請求項１に記載の広告配信サーバ。
【請求項３】
店舗の位置情報、及び提供する公衆無線ＬＡＮ情報を少なくとも含む店舗情報が記憶された公衆無線ＬＡＮデータベースを備え、
前記広告表示端末から、広告表示端末の公衆無線ＬＡＮの接続履歴を取得する無線接続履歴取得手段と、
前記取得した接続履歴に含まれる公衆無線ＬＡＮの情報に基づいて、前記公衆無線ＬＡＮデータベースから店舗情報を抽出する店舗情報抽出手段と、
を備え、前記所定の位置として前記抽出した店舗情報に含まれる位置情報を利用する事を特徴とする請求項１又は請求項２のいずれかに記載の広告配信サーバ。
【請求項４】
前記受信した移動履歴を、送信した前記広告表示端末を特定可能な状態で、前記通過時刻の推定の際参照可能な記憶部に記憶させる位置情報履歴記憶手段と、
を備えることを特徴とする請求項１乃至３のいずれか一項に記載の広告配信サーバ。
【請求項５】
前記広告データの配信先として、前記広告表示端末ではなく、前記所定の位置の近くに存在する他の広告表示が可能な端末に広告データを配信することを特徴とする請求項１乃至４のいずれか一項に記載の広告配信サーバ。
【請求項６】
一以上の広告配信サーバと通信可能に接続され、位置情報に基づいて広告を表示する広告表示端末であって、
前記広告表示端末の位置情報の移動履歴として、ＧＰＳにより取得した位置情報履歴、公衆無線ＬＡＮの接続履歴、及び基地情報との通信履歴の少なくともいずれかを、時間情報とともに前記広告配信サーバに送信する位置情報履歴送信手段と、
前記広告配信サーバから、前記移動履歴に基づいて広告データを取得する広告取得手段と、
前記取得した広告データを表示部に表示する広告表示手段と、
を備える事を特徴とする広告表示端末。
【請求項７】
広告データと位置情報とが関連付けられて記憶された広告データベースを備え、広告表示端末と通信可能に接続された広告配信サーバが実行する広告配信方法であって、
前記広告表示端末の位置情報の移動履歴を受信するステップと、
前記受信した位置情報から、時刻に沿って移動経路を推定するステップと、
前記推定した移動経路に基づいて、前記広告表示端末が所定の位置を通過する時間帯を推定するステップと、
前記所定の位置に関連付けられて記憶された前記広告データを、前記広告データベースから抽出するステップと、
前記抽出した広告データを、前記推定した時間帯において前記広告表示端末へ配信するステップと、
を備えることを特徴とする広告配信方法。
【請求項８】
広告データと位置情報とが関連付けられて記憶された広告データベースを備え、広告表示端末と通信可能に接続された広告配信サーバに、
前記広告表示端末の位置情報の移動履歴を受信するステップ、
前記受信した位置情報から、時刻に沿って移動経路を推定するステップ、
前記推定した移動経路に基づいて、前記広告表示端末が所定の位置を通過する時間帯を推定するステップ、
前記所定の位置に関連付けられて記憶された前記広告データを、前記広告データベースから抽出するステップ、
前記抽出した広告データを、前記推定した時間帯において前記広告表示端末へ配信するステップ、
を実行させることを特徴とする広告配信サーバ用プログラム。
【発明の詳細な説明】
【技術分野】
【０００１】
本発明は、広告表示端末の移動経路を推定し、移動中のユーザに対しても広告の配信効果を高めることが可能な広告配信サーバ、広告表示端末、広告配信方法、及び広告配信サーバ用プログラムに関する。
【背景技術】
【０００２】
近年、スマートフォンやタブレットと呼ばれる高機能携帯端末の普及によって、ユーザが外出先や、移動しながらウェブを閲覧する機会が爆発的に増えている。ウェブサイト上で表示される広告において、Ｃｏｏｋｉｅ履歴等に応じてユーザをターゲティングし、最適な広告を配信する技術が急速に成長している。
【０００３】
しかしながら、ウェブサイト上で表示される広告商品の多くはウェブ上で簡潔することが多く、現実の商品の広告については未だ高度な最適化がなされておらず、現実の商品に関連したいわゆるＯ２Ｏ（オンライン・トゥ・オフライン）分野のターゲティング広告の要請が高まっている。
【０００４】
このような課題に対して、位置情報を利用して広告の配信効果を高める配信システムが開示されている。
【先行技術文献】
【特許文献】
【０００５】
【特許文献１】特開２０１３−９０１０７号公報
【発明の概要】
【発明が解決しようとする課題】
【０００６】
特許文献１によれば、配信システムは位置情報と広告データとを対応付けて予め記憶している広告データ記憶部を備え、番組のデータの配信先となる端末装置から、端末装置の位置情報を受信し、端末装置の位置情報に応じた広告データを広告データ記憶部から読み出し、番組中の時間又は前記番組と他の番組との間の時間で、読み出した広告データを端末装置へ配信することで、広告の配信効果を高めるができる。
【０００７】
しかしながら、特許文献１に記載の方法では、静止しているユーザのターゲティングは番組を見ているという制約もあいまって効果的であるものの、移動中のユーザに対しては、常に現在又は過去の位置に基づく広告配信しかできない。
【０００８】
本発明は、これらの要請を鑑み、位置情報や公衆無線ＬＡＮの利用情報から広告表示端末の移動経路を推定し、所定の地点を通過する時刻を推定した後、その地点に関連した広告を推定した通過時刻に配信することで、移動中のユーザに対しても広告の配信効果を高めることが可能な広告配信サーバ、広告表示端末、広告配信方法、及び広告配信サーバ用プログラムを提供することを目的とする。
【課題を解決するための手段】
【０００９】
本発明では、以下のような解決手段を提供する。
【００１０】
第１の特徴に係る発明は、広告データと位置情報とが関連付けられて記憶された広告データベースを備え、広告表示端末と通信可能に接続された広告配信サーバであって、
前記広告表示端末の時間情報を含む位置情報の移動履歴を受信する位置情報履歴受信手段と、
前記受信した位置情報から、時刻に沿って移動経路を推定する移動経路推定手段と、
前記推定した移動経路に基づいて、前記広告表示端末が所定の位置を通過する時間帯を推定する通過時刻推定手段と、
前記所定の位置に関連付けられて記憶された前記広告データを、前記広告データベースから抽出する配信広告抽出手段と、
前記抽出した広告データを、前記推定した時間帯において前記広告表示端末へ配信する広告配信手段と、
を備えることを特徴とする広告配信サーバを提供する。
【００１１】
第１の特徴に係る発明によれば、広告データと位置情報とが関連付けられて記憶された広告データベースを備え、広告表示端末と通信可能に接続された広告配信サーバは、前記広告表示端末の時間情報を含む位置情報の移動履歴を受信し、前記受信した位置情報から、時刻に沿って移動経路を推定し、前記推定した移動経路に基づいて、前記広告表示端末が所定の位置を通過する時間帯を推定し、前記所定の位置に関連付けられて記憶された前記広告データを、前記広告データベースから抽出し、前記抽出した広告データを、前記推定した時間帯において前記広告表示端末へ配信する。
【００１２】
ここで、第１の特徴に係る発明は広告配信サーバのカテゴリであるが、広告配信方法、広告配信サーバ用プログラムのカテゴリにおいても、同様の作用・効果を発揮する。
【００１３】
第２の特徴に係る発明は、商品情報と、店舗の位置情報を少なくとも含む店舗情報とが関連付けて記憶された店舗位置データベースを備え、
前記広告データの配信先となる広告表示端末の、商品の閲覧、及び購入の少なくともいずれかの履歴を取得する購買履歴取得手段と、
前記店舗位置データベースから、前記取得した購買履歴に含まれる商品に基づいて、関連付けて記憶された店舗情報を抽出する店舗位置情報抽出手段と、
を備え、前記所定の位置として前記抽出した店舗情報に含まれる店舗の位置情報を利用する事を特徴とする第１の特徴に係る発明である広告配信サーバを提供する。
【００１４】
第２の特徴に係る発明によれば、第１の特徴に係る発明である広告配信サーバは、商品情報と、店舗の位置情報を少なくとも含む店舗情報とが関連付けて記憶された店舗位置データベースを備え、前記広告データの配信先となる広告表示端末の、商品の閲覧、及び購入の少なくともいずれかの履歴を取得し、前記店舗位置データベースから、前記取得した購買履歴に含まれる商品に基づいて、関連付けて記憶された店舗情報を抽出し、前記所定の位置として前記抽出した店舗情報に含まれる店舗の位置情報を利用する。
【００１５】
第３の特徴に係る発明は、店舗の位置情報、及び提供する公衆無線ＬＡＮ情報を少なくとも含む店舗情報が記憶された公衆無線ＬＡＮデータベースを備え、
前記広告表示端末から、広告表示端末の公衆無線ＬＡＮの接続履歴を取得する無線接続履歴取得手段と、
前記取得した接続履歴に含まれる公衆無線ＬＡＮの情報に基づいて、前記公衆無線ＬＡＮデータベースから店舗情報を抽出する店舗情報抽出手段と、
を備え、前記所定の位置として前記抽出した店舗情報に含まれる位置情報を利用する事を特徴とする第１又は第２の特徴に係る発明である広告配信サーバを提供する。
【００１６】
第３の特徴に係る発明によれば、第１又は第２の特徴に係る発明である広告配信サーバは、店舗の位置情報、及び提供する公衆無線ＬＡＮ情報を少なくとも含む店舗情報が記憶された公衆無線ＬＡＮデータベースを備え、前記広告表示端末から、広告表示端末の公衆無線ＬＡＮの接続履歴を取得し、前記取得した接続履歴に含まれる公衆無線ＬＡＮの情報に基づいて、前記公衆無線ＬＡＮデータベースから店舗情報を抽出し、前記所定の位置として前記抽出した店舗情報に含まれる位置情報を利用する。
【００１７】
第４の特徴に係る発明は、前記受信した移動履歴を、送信した前記広告表示端末を特定可能な状態で、前記通過時刻の推定の際に参照可能な記憶部に記憶させる位置情報履歴記憶手段と、
を備えることを特徴とする第１から第３のいずれかの特徴に係る発明である広告配信サーバを提供する。
【００１８】
第４の特徴に係る発明によれば、第１から第３のいずれかの特徴に係る発明である広告配信サーバは、前記受信した移動履歴を、送信した前記広告表示端末を特定可能な状態で、前記通過時刻の推定の際に参照可能な記憶部に記憶させる。
【００１９】
第５の特徴に係る発明は、前記広告データの配信先として、前記広告表示端末ではなく、前記所定の位置の近くに存在する他の広告表示が可能な端末に広告データを配信することを特徴とする第１から第４のいずれかの特徴に係る発明である広告配信サーバを提供する。
【００２０】
第５の特徴に係る発明によれば、第１から第４のいずれかの特徴に係る発明である広告配信サーバは、前記広告データの配信先として、前記広告表示端末ではなく、前記所定の位置の近くに存在する他の広告表示が可能な端末に広告データを配信する。
【００２１】
第６の特徴に係る発明は、一以上の広告配信サーバと通信可能に接続され、位置情報に基づいて広告を表示する広告表示端末であって、
前記広告表示端末の位置情報の移動履歴として、ＧＰＳにより取得した位置情報履歴、公衆無線ＬＡＮの接続履歴、及び基地情報との通信履歴の少なくともいずれかを、時間情報とともに前記広告配信サーバに送信する位置情報履歴送信手段と、
前記広告配信サーバから、前記移動履歴に基づいて広告データを取得する広告取得手段と、
前記取得した広告データを表示部に表示する広告表示手段と、
を備える事を特徴とする広告表示端末を提供する。
【００２２】
第６の特徴に係る発明によれば、一以上の広告配信サーバと通信可能に接続され、位置情報に基づいて広告を表示する広告表示端末は、前記広告表示端末の位置情報の移動履歴として、ＧＰＳにより取得した位置情報履歴、公衆無線ＬＡＮの接続履歴、及び基地情報との通信履歴の少なくともいずれかを、時間情報とともに前記広告配信サーバに送信し、前記広告配信サーバから、前記移動履歴に基づいて広告データを取得し、前記取得した広告データを表示部に表示する。
【００２３】
第７の特徴に係る発明は、広告データと位置情報とが関連付けられて記憶された広告データベースを備え、広告表示端末と通信可能に接続された広告配信サーバが実行する広告配信方法であって、
前記広告表示端末の位置情報の移動履歴を受信するステップと、
前記受信した位置情報から、時刻に沿って移動経路を推定するステップと、
前記推定した移動経路に基づいて、前記広告表示端末が所定の位置を通過する時間帯を推定するステップと、
前記所定の位置に関連付けられて記憶された前記広告データを、前記広告データベースから抽出するステップと、
前記抽出した広告データを、前記推定した時間帯において前記広告表示端末へ配信するステップと、
を備えることを特徴とする広告配信方法を提供する。
【００２４】
第８の特徴に係る発明は、広告データと位置情報とが関連付けられて記憶された広告データベースを備え、広告表示端末と通信可能に接続された広告配信サーバに、
前記広告表示端末の位置情報の移動履歴を受信するステップ、
前記受信した位置情報から、時刻に沿って移動経路を推定するステップ、
前記推定した移動経路に基づいて、前記ユーザが所定の位置を通過する時間帯を推定するステップ、
前記所定の位置に関連付けられて記憶された前記広告データを、前記広告データベースから抽出するステップ、
前記抽出した広告データを、前記推定した時間帯において前記広告表示端末へ配信するステップ、
を実行させることを特徴とする広告配信サーバ用プログラムを提供する。
【発明の効果】
【００２５】
本発明によれば、位置情報や公衆無線ＬＡＮの利用情報から広告表示端末の移動経路を推定し、所定の地点を通過する時刻を推定した後、その地点に関連した広告を推定した通過時刻に配信することで、移動中の広告表示端末に対しても広告の配信効果を高めることが可能な広告配信サーバ、広告表示端末、広告配信方法、及び広告配信サーバ用プログラムを提供することが可能となる。
【図面の簡単な説明】
【００２６】
【図１】図１は、広告配信システム１の概要を表した図である。
【図２】図２は、広告配信システム１の全体構成図である。
【図３】図３は、広告表示端末１０、広告配信サーバ２００の機能ブロック図である。
【図４】図４は、広告表示端末１０、広告配信サーバ２００が実行する、広告配信処理の手順を示すフローチャートである。
【図５】図５は、配信された広告を表示する広告表示端末１０の表示部の一例である。
【図６】図６は、経路の推定、及び通過時刻の推定の手順を説明するための模式図である。
【図７】図７は、広告データベース２５０内の広告テーブルの一例を表したものである。
【図８】図８は、店舗位置データベース２５１内の店舗位置テーブルの一例を表したものである。
【図９】図９は、公衆無線ＬＡＮデータベース２５２内の店舗テーブルの一例を表したものである。
【発明を実施するための形態】
【００２７】
以下、本発明を実施するための最良の形態について図を参照しながら説明する。なお、これはあくまでも一例であって、本発明の技術的範囲はこれに限られるものではない。
【００２８】
［広告配信システム１の概要］
図１は、本発明の好適な実施形態である広告配信システム１の概要を説明するための図である。広告配信システム１は、広告表示端末１０及び、広告配信サーバ２００から構成される。広告表示端末１０は、ＧＰＳシステム５によって、広告表示端末１０の現在の位置情報を取得することが可能である。また、広告表示端末１０は、公衆無線ＬＡＮ接続ポイント２０Ａ、２０Ｂ、２０Ｃを介して公衆回線網３に接続可能である。
【００２９】
広告配信システム１において、はじめに、広告表示端末１０は、ＧＰＳシステム５によって取得した緯度経度情報や、公衆無線ＬＡＮ接続ポイントとの接続履歴や、基地局との通信履歴を、位置情報履歴として、広告配信サーバ２００に送信する（ステップＳ０１）。
【００３０】
位置情報履歴を受信した広告配信サーバ２００は、位置情報の履歴から、時刻と位置の関係として経路情報を推定する（ステップＳ０２）。この処理により、推定値ではあるものの、広告表示端末１０の任意の時刻における位置情報及び速度が決定できる。
【００３１】
経路の推定により、広告配信サーバ２００は、未来の位置情報を推定することができる。すなわち、所定の位置について、広告表示端末１０が通過する時間帯の推定が可能となる。推定の方法には、機械学習アプローチや統計的アプローチ等様々な方法があるが、例えば基礎的な方法として、通勤や通学のように複数回繰り返される移動履歴を記憶部に記憶させることで、地点Ａから地点Ｂまでの平均所要時間が分かるようになり、地点Ａに至った時点で、地点Ｂを通過するおおよその時刻が推定可能である。
【００３２】
広告配信サーバ２００は、この例では所定の地点として店舗Ｄを選択し、推定した通過時間帯まで待機した後に、店舗Ｄと関連付けられている広告データを広告データベース２５０から抽出し（ステップＳ０３）、広告表示端末１０に送信する（ステップＳ０４）。
【００３３】
広告表示端末１０は、取得した広告を表示部に表示する（ステップＳ０５）。結果、広告表示端末１０を利用するユーザは、店舗Ｄの付近を通過すると考えられる時間帯に店舗Ｄの広告を目にすることになり、地理的に遠い場合と比して広告効果が向上すると考えられる。
【００３４】
以上が、広告配信システム１の概要である。
【００３５】
［広告配信システム１のシステム構成］
図２は、本発明の好適な実施形態である広告配信システム１のシステム構成図である。広告配信システム１は、広告表示端末１０、広告配信サーバ２００、及び、公衆回線網３（インターネット網や第３世代、第４世代通信網など）から構成される。
【００３６】
広告表示端末１０は、後述の機能を備え、データ通信を行うことが可能であり、携帯して移動しながら利用される家庭用又は業務用の電化製品である。広告表示端末１０は、例えば、携帯電話、携帯情報端末に加え、ネットブック端末、スレート端末、電子書籍端末、携帯型音楽プレーヤ等の情報家電であってよい。
【００３７】
広告配信サーバ２００は、後述の機能を備えた広告データを配信するサーバである。
【００３８】
［各機能の説明］
図３に基づいて、各装置の構成について説明する。
【００３９】
広告表示端末１０は、制御部１１として、ＣＰＵ（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等を備え、通信部１２として、他の機器と通信可能にするためのデバイス、例えば、ＩＥＥＥ８０２．１１に準拠したＷｉＦｉ（Ｗｉｒｅｌｅｓｓ  Ｆｉｄｅｌｉｔｙ）対応デバイスを備える。
【００４０】
また、広告表示端末１０は、入出力部１３として、制御部で制御したデータや画像を出力表示する表示部と、ユーザからの入力を受付けるタッチパネルやキーボード、マウスに加え、時刻を取得する時計機能、位置情報取得デバイスや、高度、通信強度、傾き、加速度等を取得するセンサを備える。
【００４１】
広告表示端末１０において、制御部１１が所定のプログラムを読み込むことで、通信部１２と協働して、位置情報履歴送信モジュール１４、広告取得モジュール１５を実現する。また、広告表示端末１０において、制御部１１が所定のプログラムを読み込むことで、入出力部１３と協働して、広告表示モジュール１６を実現する。
【００４２】
広告配信サーバ２００は、広告表示端末１０と同様に、制御部２０１として、ＣＰＵ，ＲＡＭ，ＲＯＭ等を備え、通信部２０２として、例えば、ＩＥＥＥ８０２．１１に準拠したＷｉＦｉ対応デバイス又は、有線ケーブルによる接続可能とするデバイス等の、他の電化製品、及び無線アクセスポイントとのデータ通信を実現するデバイスを備える。また、広告配信サーバ２００は、データやファイルを記憶する記憶部２０３として、ハードディスクや半導体メモリ、記録媒体、メモリカード等によるデータのストレージ部を備える。記憶部２０３には、広告データベース２５０、店舗位置データベース２５１、公衆無線ＬＡＮデータベース２５２が含まれる。
【００４３】
広告配信サーバ２００において、制御部２０１が所定のプログラムを読み込むことで、通信部２０２と協働して、位置情報履歴受信モジュール２０４、移動経路推定モジュール２０５、通過時刻推定モジュール２０６、広告配信モジュール２０７、購買履歴取得モジュール２０８、無線接続履歴取得モジュール２０９を実現する。また、広告配信サーバ２００において、制御部２０１が所定のプログラムを読み込むことで、記憶部２０３と協働して、配信広告抽出モジュール２１０、店舗位置情報抽出モジュール２１１、店舗情報抽出モジュール２１２、位置情報履歴記憶モジュール２１３を実現する。
【００４４】
［広告配信処理］
図４は、広告表示端末１０、広告配信サーバ２００が実行する広告配信処理のフローチャートである。上述した各装置のモジュールが行う処理について、本処理にて併せて説明する。
【００４５】
はじめに、広告表示端末１０の位置情報履歴送信モジュール１４は、ＧＰＳにより取得した位置情報履歴、公衆無線ＬＡＮの接続履歴、及び基地情報との通信履歴といった位置情報の特定に係る情報を、時間に係る情報とともに広告配信サーバ２００に送信する（ステップＳ１１）。ここで、履歴といっても、逐次、あるいは一定期間ごとに蓄積したログを送信すればよく、広告表示端末１０自体には長期にわたる履歴を記憶させたり、まとめて送信させたりする必要はない。
【００４６】
広告配信サーバ２００の位置情報履歴受信モジュール２０４は、位置情報履歴を受信する（ステップＳ１２）。ここで、広告配信サーバ２００の位置情報履歴記憶モジュール２１３は、受信した位置情報履歴を、時間に関する情報、及び受信した広告表示端末１０を特定可能な状態で記憶部に記憶させてよい（ステップＳ１３）。
【００４７】
次に、受信した公衆無線ＬＡＮの接続履歴、及び基地情報との通信履歴を位置情報に変換し、空白部分の位置情報を推定し埋めることで経路を推定する（ステップＳ１４）。ここで、公衆無線ＬＡＮの情報を位置情報に変換するにあたり、第三者の提供するサービスを利用して変換してよい。
【００４８】
経路の推定においては、例えば、点の移動又は滞留状態を区別した上で、移動状態における点は空白部分において等速運動をしていると判断してよい。加えて、移動速度が変化し得る駅や駐車場、タクシー・バス乗り場等の情報を重ね合わせて、その点で移動速度が変化したものと推定することも可能である。
【００４９】
次に、広告配信サーバ２００の通過時刻推定モジュール２０６は、推定した経路に基づいて、広告表示端末１０が広告を表示させたい所定の位置を通過する時間帯を推定する（ステップＳ１５）。この所定の位置は、最終的に広告を表示させるとき経路上になければならないので、現在の広告表示端末１０の位置を中心とした同心円上に、複数の地点について推定をしてよい。
【００５０】
通過時刻の推定には、機械学習アプローチや、統計的アプローチ等、様々な方法があるが、例えば基礎的な方法の一例として、通勤や通学のように複数回繰り返される移動履歴を記憶部に記憶させ、パターン化することで、地点Ａから地点Ｂまでの平均所要時間が分かるようになり、地点Ａに至った時点で、地点Ｂを通過するおおよその時刻が推定可能である。
【００５１】
図６は、経路の推定、及び通過時刻の推定の手順を説明するための模式図である。図６において、公衆無線ＬＡＮアクセスポイントとの接続又は切断が検出された点は白丸で表され、ＧＰＳによる位置情報取得が行われた点は黒丸で表される。ただし、白丸の位置は後から推定した経路６２上に便宜的に重ね合わせたものに過ぎず、初めに接続、切断情報を受け取った段階では、たとえば点６７と点６９の位置関係は分からず、同じ点に見えることに注意する。
【００５２】
ここにおいて、今、点６６から点７１までの位置情報履歴を受信したとする。点６６のおおよその位置が草加駅６１を基準に分かり、点６８の位置はＧＰＳによって特定可能なので、経路上にあって店舗６３に設置された公衆無線ＬＡＮに接続された点６７の位置は、およそ点６６と点６８を結ぶ線分上にあると推定できる。
【００５３】
同様に、店舗６３の公衆無線ＬＡＮから切断された点６９、店舗６４公の衆無線ＬＡＮに接続された点７０は、ＧＰＳによって特定される点７１との関係で、線分上にあり、店舗６３、店舗６４との距離関係から地点が推定される。ここまでが、経路の推定の手順である。
【００５４】
次に、所定の位置の通過時間の推定について説明する。点７３から点７５の位置情報は、今は受け取っておらず、記憶部にある過去のデータとして参照出来たとする。そうすると、過去に推定した経路７２と、その所要時間が分かるため、点７１にある広告表示端末１０が、店舗６５の公衆無線ＬＡＮに接続された点７５にいつ到達するかが推定できることになり、店舗６５に関連付けられた広告を配信する時間帯を推定できる。特に、この後点７３と同様の店舗６４の公衆無線ＬＡＮに接続された位置情報履歴を受信した場合、信頼性は更に高まる。
【００５５】
ここで、広告配信サーバ２００は、位置情報履歴に含まれる広告表示端末１０の無線接続履歴を利用するほか、無線接続履歴取得モジュール２０９によって、広告表示端末１０から、無線ＬＡＮへの接続履歴を取得してよい。図９は、公衆無線ＬＡＮデータベース２５２内の店舗テーブルの一例を表したものである。これによって、無線ＬＡＮのＳＳＩＤ情報から、接続、切断があったときのおおよその距離を推定できる。また、過去に接続、切断があったときは、その店舗を利用するか、その店舗の近辺に行ったことがあるということなので、当該店舗を所定の位置として広告配信を行うことで、配信効果を更に高めることが可能となる。その際は、所定の位置の位置情報として店舗の位置が選択されるので、自動的に当該店舗の商品の広告が抽出されることになる。なお、無線ＬＡＮの情報ＳＳＩＤのみならず、ＭＡＣアドレス等ネットワークを識別するための情報を用いてよい。
【００５６】
その後、広告配信サーバ２００は、推定した時刻になるまで、配信を行わず待機する（ステップＳ１６）。あるいは、既に配信した広告を表示させるまで広告表示端末１０が待機することも可能であるが、広告表示端末１０が所定の位置に近づくにつれ推定精度は向上していくと考えられる。
【００５７】
その後、推定した時間帯になると、広告配信サーバ２００の配信広告抽出モジュール２１０は前記所定の位置と関連付けられて記憶されている広告データを、広告データベース２５０から抽出する（ステップＳ１７）。
【００５８】
図７は、広告データベース２５０内の広告テーブルの一例を表したものである。所定の位置の位置情報と関連付けられ、又は所定の範囲内にある位置情報と関連付けられた広告を抽出する。抽出の際は、所定の位置と、関連付けられた位置情報とが近い順に、優先度が高い広告とみなしてもよい。
【００５９】
ここで、広告配信サーバ２００の購買履歴取得モジュール２０８は、広告表示端末１０から、商品の閲覧又は購入履歴を取得しても良い。購入履歴の取得は、ＥＣサイトとの連携を行わないと難しいものの、商品の閲覧履歴は、Ｃｏｏｃｋｉｅ等を利用した過去のページ遷移の取得により取得可能である。
【００６０】
図８は、店舗位置データベース２５１内の店舗位置テーブルの一例を表したものである。取得した商品の購入、閲覧を行った商品を販売している店舗を抽出し、その店舗の位置を所定の位置として、広告配信を行うことで、配信効果を高めることが可能となる。その際は、所定の位置の位置情報として店舗の位置が選択されるので、自動的に当該店舗の商品の広告が抽出されることになる。
【００６１】
最後に、、広告配信モジュール２０７は、抽出した広告を広告表示端末１０に送信する（ステップＳ１８）。
【００６２】
広告表示端末１０の広告取得モジュール１５は、広告を受信することで取得し（ステップＳ１９）、広告表示モジュール１６が、広告表示端末１０の表示部に取得した広告を表示する（ステップＳ２０）。なお、広告には画像情報に加え、音声情報が含まれていてもよい。
【００６３】
図５は、配信された広告を表示する広告表示端末１０の表示部の一例である。図５において、広告表示端末１０の表示部にはウェブコンテンツ５１が表示され、システムメッセージ５２として、公衆無線ＬＡＮと接続を確立した旨が表示されている。そして、画面下部には、その時間帯に通過するものと推定された位置に応じた広告５３が配信されている。
【００６４】
なお、広告配信サーバ２００が最終的に広告を配信するのは、広告表示端末１０とは別の端末であってよく、例えば街頭に設置された液晶であってもよい。そうすることで、利用者が広告表示端末１０に目を向けていなくても、広告を配信することが可能となる。
【００６５】
以上が、広告表示端末１０と広告配信サーバ２００が実行する広告配信処理の処理手順である。
【００６６】
上述した手段、機能は、コンピュータ（ＣＰＵ，情報処理装置，各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００６７】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００６８】
１  広告配信システム、１０  広告表示端末、２００  広告配信サーバ、２５０  広告データベース、２５１  店舗位置データベース、２５２  公衆無線ＬＡＮデータベース
【図１】
2015114755.tif 000003
【図２】
2015114755.tif 000004
【図３】
2015114755.tif 000005
【図４】
2015114755.tif 000006
【図５】
2015114755.tif 000007
【図６】
2015114755.tif 000008
【図７】
2015114755.tif 000009
【図８】
2015114755.tif 000010
【図９】
2015114755.tif 000011